(57)【要約】【課題】発光装置や音声発生装置を取り替えることなく、ガラス枠のデザインを変更することができる。【解決手段】ガラス枠２０は、その端部を覆うように取り囲む装飾部Ｓが設けられ、中枠２３の前面に着脱自在に開閉自在に取り付けられる。中枠２３は本体枠３に着脱自在に取り付けられる。本体枠３の内部には、スピーカ２５とＬＥＤ２６とが設けられる。ガラス枠２０には、スピーカ２５から発声される音声を聴取可能にするスピーカ開口２０ａと、ＬＥＤ２６の点灯を視認可能にするＬＥＤ開口２０ｂとが形成される。中枠２３には、スピーカ開口２３ａと、ＬＥＤ開口２３ｂとが形成される。本体枠３と中枠２３との間にはゴムシート３１，３３が、中枠２３とガラス枠２０との間にはゴムシート３２，３４がそれぞれ取り付けられる。【選択図】        図３
2004305276.tif 000002
【特許請求の範囲】
【請求項１】
本体枠へ取り付けられる遊技盤の前面を覆い、遊技盤の遊技領域を透視させる開口部を有するとともに、前記開口部の周囲を取り囲むように装飾部が設けられた開口枠を有する弾球遊技機において、
前記装飾部に光を通過させる透光窓を形成し、前記本体枠に組み込まれ遊技状態に応じて点灯制御される発光体からの光を前記透孔窓を通して装飾部の前面側から観察できるようにしたことを特徴とする弾球遊技機。
【請求項２】
本体枠へ取り付けられる遊技盤の前面を覆い、遊技盤の遊技領域を透視させる開口部を有するとともに、前記開口部の周囲を取り囲むように装飾部が設けられた開口枠を有する弾球遊技機において、
前記装飾部に貫通穴を形成し、前記本体枠に組み込まれ遊技状態に応じて発音制御される発音体からの音を前記貫通穴を通して装飾部の前面側から聴取できるようにしたことを特徴とする弾球遊技機。
【請求項３】
前記遊技盤を着脱自在に固定する中枠を本体枠に交換可能に取り付け、前記開口枠は中枠に固定した遊技盤を開閉自在に覆うように構成するものであって、前記透光窓または貫通穴は、前記中枠に貫通して形成されたガイド穴を介して発光体または発音体に連通されていることを特徴とする請求項１または２記載の弾球遊技機。
【請求項４】
前記ガイド穴と、前記透光窓または貫通穴との接続部を取り囲むように、前記開口枠または中枠に設けられた連通となる部分の少なくともいずれかに封鎖部材を設けたことを特徴とする請求項３記載のパチンコ遊技機。
【発明の詳細な説明】
【０００１】
【発明の属する技術分野】
本発明は、遊技中の演出に光や音声が用いられる弾球遊技機に関するものである。
【０００２】
【従来の技術】
弾球遊技機は、その本体枠を遊技場の島に固定するための取り付け枠に組み付けることによって設置される。一般に本体枠には、球発射装置や賞球受け皿等が設けられ、この本体枠の前面側に遊技盤が取り付けられる。遊技盤には、各種入賞口や入賞球装置、液晶パネル、障害釘などが設けられた遊技領域があり、遊技操作に基づき球発射装置で打ち出された遊技媒体（例えば、パチンコ球）を、この遊技領域で流下させることによってゲームが行われる。
【０００３】
遊技盤の背後には、入賞口やアウト穴に入ったパチンコ球を所定の経路で回収するための球通路板や、入賞球装置または液晶パネル等を制御するための回路基板などを含む裏機構ユニットが設けられている。そして、裏機構ユニットの保守・点検を簡便に行うことができるように、本体枠は取り付け枠に対してヒンジ止めされ、遊技盤を保持したまま本体枠を開いて遊技盤の背後を覗き見ることができるようになっている。また、遊技盤の遊技領域は、ガラス板や透明な強化プラスチックプレート製の透明板で覆われ、遊技領域で行われる遊技の過程をプレイヤが透視できるようになっている。透明板はガラス枠と称される開口枠で保持され、このガラス枠は遊技盤面上での球詰まり等のエラーに簡単に対処できるように開閉式になっている。
【０００４】
ところで、遊技場でパチンコ遊技機の入替を行うときには、島に固定するための取り付け枠を含めて本体枠ごと取り外して交換することが通常である。しかし、パチンコ遊技機を構成する部品には、そのまま流用可能なものも含まれているのが実情で、機種入替時のコストアップの大きな原因となっている。このため、流用可能な部品を遊技場に据え置きにし、新たに変更になる部品のみを交換することが現在検討されている。そして、本体枠、遊技の際の基本動作を行うパチンコ球発射装置や払い出し装置、演出効果を行うランプ装置や音声発生装置等を遊技場に据え置きに出来るか否かの開発を本発明者は行っている。
【０００５】
ガラス枠は、パチンコ遊技機の最前面に設けられており、外観的なデザイン面での影響が大きいため、透明板を保持するとともに、デザインを施した装飾部を備えた枠体とすることが効果的であり、演出効果として、装飾部からランプ装置や音声発生装置により発せられる光や音声が出るようにすると、さらに効果的である。そのため、パチンコ遊技機の入替時に外観的なデザインを変更する場合には、装飾部を含むガラス枠のデザインも変更されることが多く、ガラス枠を交換する必要がある。
【０００６】
【発明が解決しようとする課題】
しかしながら、ガラス枠内部にランプ装置や音声発生装置が取り付けられている場合には、デザイン変更のためにガラス枠を交換すると、ランプ装置や音声発生装置ごと交換することになり、コストダウンを効果的に行うことができないという問題があった。
【０００７】
本発明は、上記従来技術の問題を解決するためになされたものであり、演出効果を行うランプ装置や音声発生装置を交換することなく、ガラス枠のみを交換することができる弾球遊技機を提供することを目的とする。
【０００８】
【課題を解決するための手段】
上記目的を達成するために、本発明の弾球遊技機は、本体枠へ取り付けられる遊技盤の前面を覆い、遊技盤の遊技領域を透視させる開口部を有するとともに、前記開口部の周囲を取り囲むように装飾部が設けられた開口枠を有する弾球遊技機において、前記装飾部に光を通過させる透光窓を形成し、前記本体枠に組み込まれ遊技状態に応じて点灯制御される発光体からの光を前記透孔窓を通して装飾部の前面側から観察できるようにしたことを特徴とする。また、前記装飾部に貫通穴を形成し、前記本体枠に組み込まれ遊技状態に応じて発音制御される発音体からの音を前記貫通穴を通して装飾部の前面側から聴取できるようにしたことを特徴とする。
【０００９】
なお、前記遊技盤を着脱自在に固定する中枠を本体枠に交換可能に取り付け、前記開口枠は中枠に固定した遊技盤を開閉自在に覆うように構成するものであって、前記透光窓または貫通穴は、前記中枠に貫通して形成されたガイド穴を介して発光体または発音体に連通されていることが好ましい。また、前記ガイド穴と、前記透光窓または貫通穴との接続部を取り囲むように、前記開口枠または中枠に設けられた連通となる部分の少なくともいずれかに封鎖部材を設けることが好ましい。
【００１０】
【発明の実施の形態】
図１に本発明を用いた弾球遊技機の１実施例であるパチンコ機の外観を示す。パチンコ機２の本体枠３の内部には遊技盤４が配設されており、遊技盤４の前面には開口枠５が開閉自在に設けられている。開口枠５の下方には、打球供給用の供給皿６及び遊技球の打ち出し強さを調節する操作ハンドル７が設けられている。遊技盤４の遊技領域４ａの略中央には、開口４ｂが設けられている。開口４ｂには、予め定められた入賞口へ遊技球を入賞させるなどの所定入賞条件に基づいて抽選を行い、この抽選結果に応じて遊技中に様々な図柄やキャラクタなどを液晶画面に所定時間内において変動表示させた後に、抽選結果の告知となる停止表示をさせる図柄可変表示装置８が配置され、その周りには始動入賞口１０、通常入賞口１１、アタッカ１２、アウト口１３が設けられている。各入賞口１０〜１２内には、各入賞口１０〜１２に入った遊技球を検知して所定遊技状態とするための入賞球検知センサ（図示せず）が設けられている。遊技者は、供給皿６に遊技球を投入して該遊技球を発射装置へと導き、操作ハンドル７を回動操作して、遊技盤４上に遊技球を打ち出す。打ち出された遊技球は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。
【００１１】
なお、開口枠５に設けられた施錠装置Ｋが作動しているロック状態であるときには、遊技者や遊技場の作業者は、開口枠５の略中央部に設けられた開口に装着されるガラス窓９を通して遊技盤４の遊技領域４ａ及び遊技領域４ａ上を流下していく遊技球（パチンコ球）を見ることはできるが、遊技盤４にはもちろんのこと本体枠３の内部にも触れることができないようになっている。
【００１２】
図２にパチンコ機の背面側の外観を示す。パチンコ機２の本体枠３には、遊技を行う際に各種装置を作動させるための主制御を行う主制御回路装置（基板）１５の他に、主制御回路装置１５によって生成される情報に応じた出力態様（例えば、発光または発音）を行う副制御回路装置（基板）１６、球発射装置１７、球払出装置１８等がそれぞれ組み付けられている。これら制御回路装置及び装置は、図示しないケーブル等を介して電気的に接続されている。
【００１３】
図３及び図４に示すように、開口枠５の構成は、その端部を覆うように取り囲む装飾部Ｓが設けられたガラス枠２０が、中枠２３に着脱自在に取り付けられている。ガラス窓９は軸部Ｊを中心に回転自在となっており、ガラス枠２０の中央部に形成された開口２０ａに対して開閉するように設けられている。ガラス枠２０は、ヒンジ２２を用いたガラス扉部となり、ガラス扉受け部となる中枠２３の前面に開閉自在に取り付けられている。遊技盤４は中枠２３に着脱自在に取り付けられており、中枠２３は本体枠３の中枠取付部３ａに着脱自在に取り付けられている。
【００１４】
本体枠３の内部には、音声発生装置としてのスピーカ２５と、発光装置としてのＬＥＤ２６とが設けられており、スピーカ２５から演出効果を持たせた音声を発生させたり、ＬＥＤ２６の点灯制御によって演出効果を出すといったことを行う。これらスピーカ２５及びＬＥＤ２６は、副制御回路装置１６に接続されており、所定遊技状態に基づき主制御回路装置１５にて生成される情報に応じて、副制御回路装置１６により駆動制御される。なお、ＬＥＤ２６は白色、赤色または青色等のＬＥＤが用いられる。
【００１５】
図４（Ａ）に示すように、ガラス枠２０には、スピーカ２５から発声される音声を聴取可能にするスピーカ開口２０ａが形成されており、このスピーカ開口２０ａを覆うようにスピーカネット２７が取り付けられている。図４（Ｂ）に示すように、ガラス枠２０には、ＬＥＤ２６の点灯を視認可能にするＬＥＤ開口２０ｂが形成されており、このＬＥＤ開口２０ｂを覆うようにＬＥＤカバー２８が取り付けられている。ＬＥＤカバー２８は、ＬＥＤ２６から発光された光が透過されるように無色透明な樹脂から形成されている。
【００１６】
中枠２３には、スピーカ２５から発声される音声を聴取可能にするスピーカ開口２３ａと、ＬＥＤ２６の点灯を視認可能にするＬＥＤ開口２３ｂとが形成されている。スピーカ開口２３ａの両端部には、本体枠３と中枠２３との間にパッキン等の封鎖部材となるゴムシート３１が、中枠２３とガラス枠２０との間にゴムシート３２がそれぞれ取り付けられている。ＬＥＤ開口２３ｂの両端部には、本体枠３と中枠２３との間にパッキン等の封鎖部材となるゴムシート３３が、中枠２３とガラス枠２０との間にゴムシート３４がそれぞれ取り付けられている。これらゴムシート３１〜３４は、スピーカ２５及びＬＥＤ２６から発生される音声や光が、枠部材の係合によって生じる隙間から漏れるのを防止する役割を果たしている。
【００１７】
上記のように構成されたパチンコ機の作用について説明する。パチンコ機２の機種交換を行うにあたって、図柄可変表示装置８、主制御回路装置１５、副制御回路装置１６、球発射装置１７、球払出装置１８、スピーカ２５、ＬＥＤ２６が組み付けられた本体枠３ごと遊技場から取り外され、新しい機種のパチンコ機２が遊技場の所定位置に配設される。遊技場から取り外された古い機種は工場等で分解され、部品によってはリユースまたはリサイクルされ、新しい機種のパチンコ機２に組み込まれる。ガラス窓９、ガラス枠２０、中枠２３を異なる機種にリユースする場合において、異なる機種のパチンコ機２では、デザインの変更によりガラス枠２０のデザイン及びＬＥＤ２６による発光色を変更させることがある。
【００１８】
ガラス枠２０からガラス窓９を取り外すとともに、ガラス枠２０を中枠２３から取り外し、新たな機種に対応してデザインを変更した新たなガラス枠２０を中枠２３に取り付ける。そして、ＬＥＤ２６による発光色が白色の場合、外部から視認する発光色を、新規デザインに応じた、例えば青色に変更するときには、青色透明な樹脂から形成した新たなＬＥＤカバー２８を新たなガラス枠２０に取り付ける。
【００１９】
このように、ガラス枠２０のデザインを変更する際に、スピーカ２５及びＬＥＤ２６を交換することなく、ガラス枠２０のみの交換により対応することができる。さらに、ＬＥＤ２６による発光色を白色となるようにして、新規デザインに応じた色彩出力態様へと変更する際に、ガラス枠２０、ＬＥＤ２６を交換することなく、ＬＥＤカバー２８のみの交換により対応することができる。
【００２０】
なお、上記実施形態では、ガラス枠２０にＬＥＤ２６の点灯を視認可能にするＬＥＤ開口２０ｂを、中枠２３にＬＥＤ２６の点灯を視認可能にするランプ開口２３ｂをそれぞれ形成したが、ＬＥＤ２６の点灯を視認可能にできればよく、例えば、ガラス枠２０と中枠２３とのそれぞれのＬＥＤ２６の点灯案内エリア部を、ＬＥＤ２６の発光を通す無色透明な樹脂から形成してもよい。
【００２１】
また、上記実施形態では、パチンコ機２の機種交換を行うにあたって、パチンコ店等の遊技場から所定装置を組み付けた本体枠３ごと取り外して、適宜な部品の分解及び交換を容易にするとともに、コストダウン及びリサイクル化を図るようにしたが、遊技場に本体枠３を設置したままガラス枠２０を取り外して、新たなデザインのガラス枠２０と交換したり、遊技場に本体枠３を設置したまま中枠２３を取り外して、新たなデザインの遊技盤４及びガラス枠２０から構成する中枠２３に交換するようにしてもよい。そして、この際、本体枠３から取り外した古いガラス枠２０、中枠２３、ガラス窓９、遊技盤４等を工場等で分解して、部品によってはリユースまたはリサイクルし、新たなデザインとした遊技盤４及びガラス枠２０から構成する中枠２３として、再度本体枠３に取り付けるようにしてもよい。
【００２２】
さらに、上記実施形態では、本体枠３に図柄可変表示装置８、主制御回路装置１５、副制御回路装置１６、球発射装置１７、球払出装置１８等を組み付けるようにしたが、これらの一部または全てを適宜に応じて遊技盤４または中枠２３等へ取り付けて本体枠３に組み付けるようにして、部品の分解及び交換を容易にするとともに、コストダウン及びリサイクル化を図るようにしてもよい。
【００２３】
【発明の効果】
以上説明したように、本発明の弾球遊技機によれば、装飾部に光を通過させる透光窓を形成し、本体枠に組み込まれ遊技状態に応じて点灯制御される発光体からの光を透孔窓を通して装飾部の前面側から観察できるようにするとともに、装飾部に貫通穴を形成し、本体枠に組み込まれ遊技状態に応じて発音制御される発音体からの音を貫通穴を通して装飾部の前面側から聴取できるようにしたから、装飾部のデザインを変更する際に、発光体及び発音体を交換することなく、装飾部のみの交換により対応することができる。
【図面の簡単な説明】
【図１】本発明を実施したパチンコ機の外観を示す斜視図である。
【図２】図１に示したパチンコ機の背面側からの外観を示す斜視図である。
【図３】本体枠と中枠とガラス枠とガラス窓とを示す斜視図である。
【図４】本体枠と中枠とガラス枠とを示す断面図である。
【符号の説明】
２  パチンコ機
３  本体枠
４  遊技盤
５  開口枠
９  ガラス窓
２０  ガラス枠
２０ａ  スピーカ開口
２０ｂ  ＬＥＤ開口
２３  中枠
２３ａ  スピーカ開口
２３ｂ  ＬＥＤ開口
２５  スピーカ
２６  ＬＥＤ
２７  スピーカネット
２８  ＬＥＤカバー
３１，３２  ゴムシート
【図１】
2004305276.tif 000003
【図２】
2004305276.tif 000004
【図３】
2004305276.tif 000005
【図４】
2004305276.tif 000006